【手続補正書】
【提出日】平成15年6月27日(2003.6.27)
【手続補正１】
【補正対象書類名】明細書
【補正対象項目名】特許請求の範囲
【補正方法】変更
【補正の内容】
【特許請求の範囲】
【請求項１】
複数の論理チャネルを有し、外部処理装置に接続する第１インタフェース手段と、
前記第１インタフェース手段と異なる構成の論理チャネルを有し、データ処理手段に接続する第２インタフェース手段と、
前記第１のインタフェース手段と前記第２インタフェース手段との間でデータ転送を制御するための制御手段と
を有することを特徴とする画像処理装置。
【請求項２】
前記第１インタフェース手段は、ユニバーサルシリアルバス（ＵＳＢ）通信規格に対応していることを特徴とする請求項１に記載の画像処理装置。
【請求項３】
前記制御手段は、前記第２インタフェース手段を経由して前記データ処理手段と双方向にデータ転送を実行することを特徴とする請求項１に記載の画像処理装置。
【請求項４】
前記第２インタフェース手段はユニバーサルシリアルバス（ＵＳＢ）通信規格に対応していることを特徴とする請求項１に記載の画像処理装置。
【請求項５】
前記第２インタフェース手段を経由して、前記データ処理手段の有する属性情報を取得する属性取得手段と、
前記第１のインタフェース手段が有する前記複数の論理チャネル毎の属性情報を通知する属性通知手段とを更に有し、
前記制御手段は、前記属性取得手段で取得した属性情報と前記第１インタフェース手段が有する前記複数の論理チャネル毎の属性情報とを統合して通知するように前記属性通知手段を制御することを特徴とする請求項１に記載の画像処理装置。
【請求項６】
前記制御手段は、前記第１インタフェース手段に設けられた前記データ処理手段のための論理チャネル経由で画像データを受信し、前記第２インタフェース手段を経由して前記データ処理手段に前記受信した画像データを転送するように、前記第１インタフェース手段と前記第２インタフェース手段を制御することを特徴とする請求項１に記載の画像処理装置。
【請求項７】
前記制御手段は、前記第２インタフェース手段を経由して前記データ処理手段から画像データの処理状況を取得し、前記第１インタフェース用に設けられた前記データ処理手段のための論理チャネル経由で、前記外部処理装置に前記取得した処理状況を転送するように、前記第１インタフェース手段と前記第２インタフェース手段を制御することを特徴とする請求項１に記載の画像処理装置。
【請求項８】
前記制御手段は、前記受信した画像データを解析しないことを特徴とする請求項６に記載の画像処理装置。
【請求項９】
前記制御手段は、データを編集しないことを特徴とする請求項６に記載の画像処理装置。
【請求項１０】
前記制御手段は、前記処理状況を解析しないことを特徴とする請求項７に記載の画像処理装置。
【請求項１１】
前記制御手段は、前記処理状況を編集しないことを特徴とする請求項７に記載の画像処理装置。
【請求項１２】
前記制御手段は、前記処理状況のうち、画像データの転送中あるいは転送終了の処理状況を解析することを特徴とする請求項７に記載の画像処理装置。
【請求項１３】
前記制御手段は、前記データ処理手段の画像データ受信受付状態を前記第２インタフェース手段を介して検知し、前記検知した画像データ受信受付状態を、前記第１インタフェース手段に設けられた前記データ処理手段のための論理チャネル経由での画像データの受信受付状態として設定することを特徴とする請求項６に記載の画像処理装置。
【請求項１４】
前記制御手段は、前記データ処理手段の画像データ処理状況の通知状態を前記第２インタフェース手段を介して検知し、前記検知した画像データ処理状況の通知状態を、前記第１インタフェース手段に設けられた前記データ処理手段のための論理チャネル経由での画像データ処理状況の通知状態として設定することを特徴とする請求項７に記載の画像処理装置。
【請求項１５】
前記データ処理手段は、画像データを記録部材に記録する記録手段であることを特徴とする請求項１に記載の画像処理装置。
【請求項１６】
前記データ処理手段は、原稿を読み込んで画像データに変換する読取手段、被写体を撮像して画像データを生成する撮像手段、又は通信回線を用いて画像情報を遠隔装置に送信または受信する通信手段であることを特徴とする請求項１に記載の画像処理装置。
【請求項１７】
複数の論理チャネルを有し、外部処理装置に接続する第１インタフェース手段と、前記第１インタフェース手段と異なる構成の論理チャネルを有し、データ処理手段に接続する第２インタフェース手段とを有する画像処理装置の制御方法であって、
前記第１のインタフェース手段と前記第２インタフェース手段との間のデータ転送を制御する制御工程を有することを特徴とする制御方法。
【請求項１８】
前記制御工程は、
前記第２インタフェース手段を経由して、前記データ処理手段の有する属性情報を取得する属性取得工程と、
前記属性取得工程で取得した属性情報と前記第１インタフェース手段が有する前記複数の論理チャネル毎の属性情報とを統合する統合工程と、
前記統合された属性情報を通知する属性通知工程と
を有することを特徴とする請求項１７に記載の制御方法。
【請求項１９】
前記制御工程では、前記第１インタフェース手段に設けられた前記データ処理手段のための論理チャネル経由で画像データを受信し、前記第２インタフェース手段を経由して前記データ処理手段に前記受信した画像データを転送するように、前記第１インタフェース手段と前記第２インタフェース手段を制御することを特徴とする請求項１７に記載の制御方法。
【請求項２０】
前記制御工程では、前記第２インタフェース手段を経由して前記データ処理手段から画像データの処理状況を取得し、前記第１インタフェース用に設けられた前記データ処理手段のための論理チャネル経由で、前記外部処理装置に前記取得した処理状況を転送するように、前記第１インタフェース手段と前記第２インタフェース手段を制御することを特徴とする請求項１７に記載の制御方法。
【請求項２１】
前記制御工程では、前記受信した画像データを解析しないことを特徴とする請求項１９に記載の制御方法。
【請求項２２】
前記制御工程では、データを編集しないことを特徴とする請求項１９に記載の制御方法。
【請求項２３】
前記制御工程では、前記処理状況を編集しないことを特徴とする請求項２０に記載の制御方法。
【請求項２４】
前記制御工程では、前記処理状況のうち、画像データの転送中あるいは転送終了の処理状況を解析することを特徴とする請求項２０に記載の制御方法。
【請求項２５】
前記制御工程では、前記データ処理手段の画像データ受信受付状態を前記第２インタフェース手段を介して検知し、前記検知した画像データ受信受付状態を、前記第１インタフェース手段に設けられた前記データ処理手段のための論理チャネル経由での画像データの受信受付状態として設定することを特徴とする請求項１９に記載の制御方法。
【請求項２６】
前記制御工程は、前記取得した処理状況が処理終了であるかどうかを判断するための判断工程を有し、前記判断工程で処理終了と判断した場合、処理動作を終了するように前記データ処理手段を制御することを特徴とする請求項２０に記載の制御方法。
【請求項２７】
請求項１７乃至２６のいずれかに記載の制御方法を実現するためのプログラムコードを有する情報処理装置が実行可能なプログラム。
【請求項２８】
請求項２７に記載のプログラムを記憶した記憶媒体。